(57)【要約】【課題】無線式の操作装置を採用した場合においても操作スイッチの数を極力少なくして安価で持ち運びに便利で操作性のよいコンパクトなコンテナ荷役車輌の操作装置を提供する。【解決手段】コンテナを車体上と地上との間で積降ろす積降ろし動作と、コンテナを車体上において後方に傾動させるダンプ動作とが、荷役装置により行われるコンテナ荷役車輌において、荷役装置を操作する操作装置３が無線式である。操作装置３には、積降ろし動作とダンプ動作とに切り替える切替スイッチ３１と、切替スイッチ３１により積降ろし動作を選択した時にはコンテナを地上から車体上に引き上げて積込み、ダンプ動作を選択した時にはコンテナを上方に傾動させる上スイッチ３２と、切替スイッチにより積降ろし動作を選択した時にはコンテナを車体上から地上に降ろし、ダンプ動作を選択した時にはコンテナを下方に伏倒させる下スイッチ３３とが配設されている。【選択図】  図６
2005254913.tif 000002
【特許請求の範囲】
【請求項１】
コンテナを車体上と地上との間で積降ろす積降ろし動作と、コンテナを車体上において後方に傾動させるダンプ動作とが、車体に搭載された荷役装置の作動によって行われるように構成されたコンテナ荷役車輌において、
前記荷役装置を操作する操作装置が無線式であることを特徴とするコンテナ荷役車輌の操作装置。
【請求項２】
前記操作装置には、積降ろし動作とダンプ動作とに切り替える切替スイッチと、該切替スイッチの切替操作に基づいて、積降ろし動作を選択した時にはコンテナを地上から車体上に引き上げて積込み、ダンプ動作を選択した時にはコンテナを上方に傾動させる上スイッチと、上記切替スイッチの切替操作に基づいて、積降ろし動作を選択した時にはコンテナを車体上から地上に降ろし、ダンプ動作を選択した時にはコンテナを下方に伏倒させる下スイッチとが配設されたことを特徴とする請求項１記載のコンテナ荷役車輌の操作装置。
【請求項３】
車輌側に、積降ろし動作とダンプ動作とに切り替える切替スイッチが設けられる一方、前記操作装置には、上記切替スイッチの切替操作に基づいて、積降ろし動作を選択した時にはコンテナを地上から車体上に引き上げて積込み、ダンプ動作を選択した時にはコンテナを上方に傾動させる上スイッチと、上記切替スイッチの切替操作に基づいて、積降ろし動作を選択した時にはコンテナを車体上から地上に降ろし、ダンプ動作を選択した時にはコンテナを下方に伏倒させる下スイッチとが配設されたことを特徴とする請求項１記載のコンテナ荷役車輌の操作装置。
【請求項４】
前記操作装置と共に有線式の第２操作装置が併設されたことを特徴とする請求項２又は３記載のコンテナ荷役車輌の操作装置。
【請求項５】
前記操作装置もしくは第２操作装置に設けられた各操作スイッチを同時に操作した場合に、この操作を無効にする同時操作無効手段が備えられたことを特徴とする請求項３又は４記載のコンテナ荷役車輌の操作装置。
【請求項６】
先に操作した操作装置もしくは第２操作装置の操作を優先させる優先操作手段が備えられたことを特徴とする請求項４又は５記載のコンテナ荷役車輌の操作装置。
【発明の詳細な説明】
【技術分野】
【０００１】
本発明は、コンテナを車体上と地上との間で積降ろすとともに、車体上において後方に傾動させる荷役装置を備えたコンテナ荷役車輌に関し、具体的には荷役装置を操作する操作装置に関する。
【背景技術】
【０００２】
従来、荷役装置の先端に設けたフックをコンテナの係合ピンに係合させ、荷役装置の作動によりコンテナを地上から車体上に積み込むとともに、この逆の動作でコンテナを車体上から地上に降ろし、また、上記荷役装置の作動によりコンテナを車体上において後方に傾動させるようにしたコンテナ荷役車輌が提供されている。
【０００３】
ところで、このように荷役装置を作動させるのは作業者が運転室内などに設けられた有線式の操作装置を操作することによって行われていた（例えば、特許文献１参照。）。
【特許文献１】実用新案登録第２５２５４６１号公報
【発明の開示】
【発明が解決しようとする課題】
【０００４】
しかしながら、操作装置が有線式のものでは操作できる範囲が自ずと規制されるとともに、接続ケーブルが運転室内などにおいて他の機器に絡まったりして使い勝手が悪いという問題があった。
【０００５】
そこで、無線式の操作装置が要望されていたが、仮に操作装置を無線式にした場合には次のような新たな問題が生じていた。
【０００６】
即ち、操作装置にはコンテナの積降ろし動作を行うための「上」用と「下」用との２つの操作スイッチと、傾動（ダンプ）動作を行うための「上」用と「下」用との２つの操作スイッチ、つまり合計４つの操作スイッチが必要である。このように４つの操作スイッチにより無線操作を行おうとした場合には、操作装置とこの操作装置からの操作信号を受信する受信装置とが共に高価になるとともに、作業者が直接操作する操作装置が大型になり持ち運びに適さなく操作性が悪い。
【０００７】
本発明は、上記問題点に鑑みてなされたもので、その目的とするところは、無線式の操作装置を採用した場合においても操作スイッチの数を極力少なくして安価で持ち運びに便利で操作性のよいコンパクトなコンテナ荷役車輌の操作装置を提供することにある。
【課題を解決するための手段】
【０００８】
上記の目的を達成するため、請求項１に係る発明のコンテナ荷役車輌の操作装置は、コンテナを車体上と地上との間で積降ろす積降ろし動作と、コンテナを車体上において後方に傾動させるダンプ動作とが、車体に搭載された荷役装置の作動によって行われるように構成されたコンテナ荷役車輌において、前記荷役装置を操作する操作装置が無線式である。
【０００９】
請求項２に係る発明のコンテナ荷役車輌の操作装置は、前記操作装置には、積降ろし動作とダンプ動作とに切り替える切替スイッチと、該切替スイッチの切替操作に基づいて、積降ろし動作を選択した時にはコンテナを地上から車体上に引き上げて積込み、ダンプ動作を選択した時にはコンテナを上方に傾動させる上スイッチと、上記切替スイッチの切替操作に基づいて、積降ろし動作を選択した時にはコンテナを車体上から地上に降ろし、ダンプ動作を選択した時にはコンテナを下方に伏倒させる下スイッチとが配設されたものである。
【００１０】
請求項３に係る発明のコンテナ荷役車輌の操作装置は、車輌側に、積降ろし動作とダンプ動作とに切り替える切替スイッチが設けられる一方、前記操作装置には、上記切替スイッチの切替操作に基づいて、積降ろし動作を選択した時にはコンテナを地上から車体上に引き上げて積込み、ダンプ動作を選択した時にはコンテナを上方に傾動させる上スイッチと、上記切替スイッチの切替操作に基づいて、積降ろし動作を選択した時にはコンテナを車体上から地上に降ろし、ダンプ動作を選択した時にはコンテナを下方に伏倒させる下スイッチとが配設されたものである。
【００１１】
請求項４に係る発明のコンテナ荷役車輌の操作装置は、前記操作装置と共に有線式の第２操作装置が併設されたものである。
【００１２】
請求項５に係る発明のコンテナ荷役車輌の操作装置は、前記操作装置もしくは第２操作装置に設けられた各操作スイッチを同時に操作した場合に、この操作を無効にする同時操作無効手段が備えられたものである。
【００１３】
請求項６に係る発明のコンテナ荷役車輌の操作装置は、先に操作した操作装置もしくは第２操作装置の操作を優先させる優先操作手段が備えられたものである。
【発明の効果】
【００１４】
本発明によれば、無線式の操作装置を用いて作業者が運転室内やその周辺など作業し易い場所に手軽に移動して操作を行うことができ操作性の向上を図ることができる。また、操作スイッチを極力少なくして安価で持ち運びに便利なコンパクトなものにすることができる。
【発明を実施するための最良の形態】
【００１５】
以下、本発明の実施の形態について図面を参照して説明する。
【００１６】
図１はコンテナを搭載したコンテナ荷役車輌を示している。
【００１７】
このコンテナ荷役車輌は、その車体１にコンテナＣを積降ろすとともに、コンテナＣ内の積載物を排出するための荷役装置２が設けられている。
【００１８】
荷役装置２は、コンテナＣが搭載された状態において水平に配置されるアウタアーム２１と、同状態において垂直に配置された垂直部２２ｂを有し、全体としてＬ字状に形成された伸縮アーム２２とを備えている。
【００１９】
アウタアーム２１は、車体１の後部に回動自在に支持されたダンプフレーム２ａを介してその後端部が回動自在に支持されている。
【００２０】
伸縮アーム２２は、前記アウタアーム２１内に挿入された水平部２２ａと、この水平部２２ａの前端部から立設された垂直部２２ｂとで略Ｌ字状に形成されており、水平部２２ａが図示しない伸縮シリンダによりアウタアーム２１に対して長手方向に伸縮自在になされている。
【００２１】
垂直部２２ｂは、その先端にコンテナＣに設けられた係合ピンＣ１と係脱自在なフック２３が設けられている。
【００２２】
また、前記アウタアーム２１と車体１との間には、起伏シリンダ２４（図３乃至図５参照）が連設されており、この起伏シリンダ２４の伸縮動作により荷役装置２がその後端部を中心にして前後方向に回動自在に構成されている。
【００２３】
コンテナＣは、上面が開放された開放式のものや、上面も閉じられた密閉式のものなどが用いられ、後壁が積載物を排出可能なように開閉自在になされている。また、前壁上部に前記係合ピンＣ１が設けられるとともに、底面前部に支持脚Ｃ２が、底面後部に支持ローラＣ３が設けられている。
【００２４】
さらに、車体１の後端部には、コンテナＣを当該車体１と地上との間で円滑に積降ろすためのローラ１１が設けられている。
【００２５】
そして、このコンテナ荷役車輌によるコンテナＣの積降ろし動作は、まず、図１に示すようにコンテナＣを搭載した状態で、図２に示すように伸縮シリンダにより伸縮アーム２２の水平部２２ａをアウタアーム２１に対して縮退させ、車体１上のコンテナＣを後方に所定長さスライドさせる。この後、図３に示すように起伏シリンダ２４によりアウタアーム２１を伸縮アーム２２と共に上方に回動させてコンテナＣを傾動させる。これによりコンテナＣを図４に示すように車体１上から地上に降ろすことができる。また、上述と逆の動作により地上のコンテナＣを車体１上に積込むことができる。
【００２６】
一方、コンテナＣ内に積載された積載物の排出を行うダンプ動作は、コンテナＣを車体１上に積込んだ状態で、図示しない固縛装置によりアウタアーム２１とダンプフレーム２ａとを一体的に固縛し、伸縮アーム２２をアウタアーム２１に対して縮退させることなく、図５に示すように荷役装置２全体を上方に回動させてコンテナＣを傾動させることで、このコンテナＣ内の積載物を開放した後壁から外部に排出する。
【００２７】
ところで、このコンテナ荷役車輌では、上述した荷役装置２の作動を本発明の主要部をなす図６に示すような無線式の操作装置３からの操作信号に基づいて制御部４によって行っている。
【００２８】
操作装置３は、切替スイッチ３１と、操作スイッチとしての上スイッチ３２及び下スイッチ３３とを備えている。
【００２９】
切替スイッチ３１は、前述したコンテナＣの積降ろし動作とダンプ動作とを切り替えるスイッチである。
【００３０】
上スイッチ３２は、上記切替スイッチ３１の切替操作によって積降ろし動作を選択した際にはコンテナＣを地上から車体１上に引き上げて積込み、又は切替スイッチ３１の切替操作によってダンプ動作を選択した際にはコンテナＣを上方に傾動させるスイッチである。
【００３１】
下スイッチ３３は、上記切替スイッチ３１の切替操作によって積降ろし動作を選択した際にはコンテナＣを車体１上から地上に降ろし、又は切替スイッチ３１の切替操作によってダンプ動作を選択した際にはコンテナＣを下方に伏倒させるスイッチである。
【００３２】
これら各スイッチ３１〜３３の操作信号は、操作装置３に組み込まれた送信回路３４によって受信回路４１に送信され、この受信回路４１を通じて制御部４に入力される。
【００３３】
制御部４では、入力された各操作信号に基づいて各コントロールバルブ５を切り換えて前記伸縮シリンダや起伏シリンダ２４を伸縮制御することで前述したコンテナＣの積降ろし動作とダンプ動作を行う。
【００３４】
具体的には、表１に示すように切替スイッチ３１がＯＦＦである場合には、上スイッチ３２を操作することでコンテナＣを地上から車体１上に引上げ、下スイッチ３３を操作することでコンテナＣを車体１上から地上に降ろすコンテナＣの積降ろし（脱着）動作を行う。
【００３５】
一方、切替スイッチ３１がＯＮである場合には、上スイッチ３２を操作することでコンテナＣを上方に傾動させ、下スイッチ３３を操作することでコンテナＣを車体１上に伏倒させるダンプ動作を行う。
【００３６】
【表１】
2005254913.tif 000003
この際、制御部４には、荷役装置２の伸縮アーム２２やアウタアーム２１の状態を検出するリミットスイッチなどのセンサ６から検出信号が入力されており、この検出信号に基づいてコンテナＣの積降ろし動作とダンプ動作を行っている。
【００３７】
そして、前記上スイッチ３２及び下スイッチ３３は、例えば押し続けることによって制御部４を通じて上述した各動作が行われるようになされている。つまり、押すことによってＯＮになり、離すことでＯＦＦに自動復帰して各動作を停止させるようなスイッチが採用されている。
【００３８】
また、切替スイッチ３１は、押すとＯＮを保持し、再び押すとＯＦＦに復帰するスイッチを採用するのが操作上好ましい。なお、切替スイッチ３１の切替えは、上述とは逆にしてＯＦＦでダンプ動作を選択し、ＯＮで積降ろし動作を選択するようにしてもよい。
【００３９】
このように無線式の操作装置３により荷役装置２の作動を制御部４を通じて操作することで、作業者が運転室内やその周辺など作業し易い場所に手軽に移動して操作を行うことができ操作性の向上を図ることができる。例えば荷役装置２のフック２３をコンテナＣの係合ピンＣ１に係脱する場合には、当該フック２３の係脱が確認し易い場所に手軽に移動することができ作業を円滑に進めることができる。
【００４０】
また、スイッチ数を極力少なくして安価で持ち運びに便利なコンパクトなものにすることができる。
【００４１】
さらに、前記制御部４には、同時操作無効手段としての同時操作無効回路４２が備えられている。この同時操作無効回路４２は、操作装置３の上スイッチ３２と下スイッチ３３とを作業者が誤って同時に操作した場合、つまり相反する動作を行う操作信号が同時に制御部４に入力された場合にこれら操作信号を無効にするものである。
【００４２】
このように同時操作無効回路４２によって操作信号を無効にすることで制御部４からはコントロールバルブ５へ作動信号を出力しないため、荷役装置２の作動は行われない。これにより誤操作による荷役装置２の誤動作を確実に防止でき高い安全性を確保することができる。
【００４３】
また、上述では制御部４に同時操作無効回路４２を設ける場合について説明したが、受信回路４１自体に同様な同時操作無効回路４１ａを設けても構わない。この場合、操作装置３によって相反する動作を行う操作信号が同時に受信回路４１に受信されても、これらの操作信号を同時操作無効回路４１ａによって無効にすることができるため、制御部４には作動信号が出力されず荷役装置２の作動は行われることがない。
【００４４】
さらに、上述では同時操作無効回路４２、４１ａを制御部４や受信回路４１、すなわち受信側に設ける場合について説明したが、受信側に限らず送信側に同時操作無効回路３５を設けるようにしてもよい。この場合、操作装置３において上スイッチ３２の操作と下スイッチ３３の操作という相反する操作が同時になされた場合には、操作装置３側、すなわち送信側から操作信号が送信されないように構成することとなる。
【００４５】
図７は、操作装置の他の構成を示している。
【００４６】
この操作装置３は、上スイッチ３２と下スイッチ３３の二つの操作スイッチを備えたものである。そして、前記切替スイッチ３１を車輌側の例えば運転室内に設けている。
【００４７】
従って、操作装置３からは上スイッチ３２と下スイッチ３３との操作信号が送信回路３４、受信回路４１を通じて制御部４に入力され、切替スイッチ３１の切替は作業者が運転室内などで行い、この切替信号が信号ケーブルを通じて制御部４に入力される。
【００４８】
なお、各スイッチ３１〜３３の操作に基づく制御部４での荷役装置２の作動制御は前述した制御部４での作動制御と同様であり説明は省略する。
【００４９】
このように操作装置３を構成することで、当該操作装置３のスイッチ数を減らしてさらに安価で持ち運びに便利なコンパクトなものにすることができる。
【００５０】
図８は、前記操作装置３と有線式の第２操作装置７とを併設したものを示している。
【００５１】
第２操作装置７には、例えば積降ろし動作を操作するための引上げスイッチ７１、降ろしスイッチ７２と、ダンプ動作を操作するための上げスイッチ７３、下げスイッチ７４との４つの操作スイッチが備えられており、これら各操作スイッチ７１〜７４の操作信号が制御部４に入力される。制御部４ではこれら操作信号に基づいて前述と同様な各動作を作動制御する。
【００５２】
操作装置３については図６に示す操作装置３と同様である。また、図７に示す操作装置３であってもよい。
【００５３】
この場合、制御部４に備えられた同時操作無効回路４２では、前述したように操作装置３の上スイッチ３２と下スイッチ３３とを同時に操作した場合にこれら操作信号を無効にするとともに、第２操作装置７の各操作スイッチ７１〜７４を同時操作した場合にもこれら操作信号を無効にして荷役装置２を作動させないようにしている。
【００５４】
また、図６で説明したように操作装置３の各操作スイッチの同時操作を無効にする同時操作無効回路４１ａを受信回路４１に、又は同時操作無効回路３５を送信側である送信回路３４に設けても構わない。
【００５５】
さらに、制御部４には同時操作無効回路４２の他に優先操作手段としての優先操作回路４３が備えられている。
【００５６】
この優先操作回路４３は、先に操作を開始した操作装置３もしくは第２操作装置７による操作を優先させるものである。これは、操作装置３と第２操作装置７とを併設した場合には、操作装置３と第２操作装置７の何れでも操作が行えることになることから、例えば操作装置３によって積降ろし操作を行っている際に、第２操作装置７によってダンプ操作を行った場合などに荷役装置２が誤動作する虞があるが、これを優先操作回路４３によって防止するようにしている。
【００５７】
従って、先に操作装置３による操作が行われると、後に第２操作装置７による操作を行っても制御部４では優先操作回路４３によって第２操作装置７からの操作信号を無効にして操作装置３からの操作信号に基づく荷役装置２の作動制御が行われることになる。逆に先に第２操作装置７による操作が行われると、後に操作装置３による操作を行っても制御部４では操作装置３からの操作信号を無効する。
【００５８】
これにより操作装置３と第２操作装置７とを併設した場合のこれら操作装置３と第２操作装置７の誤操作による荷役装置２の誤動作を確実に防止でき高い安全性を確保することができる。
【図面の簡単な説明】
【００５９】
【図１】コンテナ荷役車輌を示す側面図である。
【図２】コンテナ荷役車輌におけるコンテナの積降ろし動作を説明するための側面図である。
【図３】コンテナ荷役車輌におけるコンテナの積降ろし動作を説明するための側面図である。
【図４】コンテナ荷役車輌におけるコンテナの積降ろし動作を説明するための側面図である。
【図５】コンテナ荷役車輌におけるコンテナのダンプ動作を説明するための側面図である。
【図６】操作装置及びその操作装置の操作に基づく制御系を示すブロック図である。
【図７】他の操作装置及びその操作装置の操作に基づく制御系を示すブロック図である。
【図８】さらに他の操作装置及びその操作装置の操作に基づく制御系を示すブロック図である。
【符号の説明】
【００６０】
１  車体
２  荷役装置
３  操作装置
３１  切替スイッチ
３２  上スイッチ
３３  下スイッチ
４  制御部
４２  同時操作無効回路（同時操作無効手段）
４３  優先操作回路（優先操作手段）
７  第２操作装置
Ｃ  コンテナ
【図１】
2005254913.tif 000004
【図２】
2005254913.tif 000005
【図３】
2005254913.tif 000006
【図４】
2005254913.tif 000007
【図５】
2005254913.tif 000008
【図６】
2005254913.tif 000009
【図７】
2005254913.tif 000010
【図８】
2005254913.tif 000011